(57)【要約】【課題】本発明は、簡単に掃除ができる排水トラップ構造を提供することを課題とする。【解決手段】本発明は、封水筒２の中央にオーバーフロー用筒１を設け、目皿４は中央にオーバーフロー用筒１を貫通させるための開口部を有し、封水筒２に対して着脱自在であることを特徴とする排水トラップ構造である。【選択図】        図１
2010007312.tif 000002
【特許請求の範囲】
【請求項１】
封水筒とその上方を覆う目皿からなる排水トラップ構造であって、封水筒は中央にオーバーフロー時の排水用のオーバーフロー用筒が設けてあり、目皿は中央に前記オーバーフロー用筒を貫通させるための開口部を有し、前記封水筒に対して着脱自在であることを特徴とする排水トラップ構造。
【請求項２】
目皿の外周縁部から中央部にかけて勾配を設けていることを特徴とする請求項１に記載の排水トラップ構造。
【請求項３】
目皿に外周縁部から中央にかけて複数本の桟を設けたことを特徴とする請求項１または請求項２に記載の排水トラップ構造。
【発明の詳細な説明】
【技術分野】
【０００１】
本発明は、浴室の床の排水部などで用いられる排水トラップ構造に関する。
【背景技術】
【０００２】
従来、浴室の排水構造において、つまりを防いだり、掃除をしやすくしたりするために様々な工夫がなされてきた。図６では、目皿４に凸部を設け、さらに中央を開口した形になっている。開口部を設けることで、目詰まりした時の排水の遮断を防止することができる。また、取外し用のつまみ５が付いていて、掃除をする時に、毛髪や垢などの汚れが手に付かないという利点がある。しかし、目皿４の底に毛髪などのごみ９が絡みついた時、除去しづらいという問題点があった。
【特許文献１】特開平８−２７００３５号公報
【発明の開示】
【発明が解決しようとする課題】
【０００３】
本発明は上記問題点に鑑みて発明したものであって、つまりを防止でき、簡単に掃除ができる排水トラップ構造を提供することを課題とする。
【課題を解決するための手段】
【０００４】
上記課題を解決するために、本発明では、封水筒の中央にオーバーフロー時の排水用の排水筒（以下、オーバーフロー用筒という）を設け、目皿は中央にオーバーフロー用筒を貫通させるための開口部を有し、封水筒に対して着脱自在であることを特徴とする排水トラップ構造を提供する。オーバーフロー用筒があることで、目皿が目詰まりした時の排水が可能となる。毛髪などのごみが中央のオーバーフロー用筒に集中して絡みつき、目皿を取り外す際に、上部へ押し上げられることで、目皿上に円形にまとまり、取り除き易くなる。
【０００５】
また、目皿の外周縁部から中央部にかけて勾配を設けることで、毛髪などのごみが中央に集まり易くなる。
【０００６】
また、目皿に外周縁部から中央にかけて複数本の桟を設けるようにする。桟の部分は毛髪などのごみが絡みつきにくいので、桟があることで毛髪などのごみを中央に集めて取り除き易くなる。
【発明の効果】
【０００７】
請求項１に係る発明は、封水筒の中央にオーバーフロー用筒を設けたことにより、目皿が目詰まりを起こした場合でも排水ができ、浴室の床が排水で溢れることがないという効果を奏する。また、目皿が着脱自在であり、目皿を取り外す時、中央のオーバーフロー用筒に集中して絡みついた毛髪などのごみを上部へ押し上げながら目皿を動かしていくので、目皿上にごみが円形にまとまり、毛髪などのごみを除去し易くなり、掃除が簡単になるという効果を奏する。
【０００８】
請求項２に係る発明は、請求項１に係る発明の効果に加えて、勾配があることで中央に毛髪などのごみが集まり易くなり、除去するのが簡単になるという効果を奏する。
【０００９】
請求項３に係る発明は、請求項１または請求項２に係る発明の効果に加えて、複数本の桟があることによって毛髪などのごみを取り除き易くなり、掃除が簡単になるという効果を奏する。
【発明を実施するための最良の形態】
【００１０】
以下、本発明を添付図面に示す実施形態に基づいて説明する。
【００１１】
図１は、本発明に係る排水トラップ構造断面図である。浴室の排水を行うために、排水管７があり、その中には、図１のように貯留筒６が設けられている。本発明の排水トラップ構造は、封水筒２と目皿４からなる構造で、貯留筒６の上方に置かれる。本発明の封水筒２は、中央にオーバーフロー用筒１が一体となって設けられており（以下、封水筒２とオーバーフロー用筒１が一体となったものをオーバーフロー用筒付き封水筒３という）、目皿４は、図４に示すように中央に開口部１２を有し、オーバーフロー用筒１を貫通させて取り付け、オーバーフロー筒付き封水筒３に対して着脱自在な構造であるとする。図５は、オーバーフロー用筒付き封水筒３の斜視図で、オーバーフロー用筒付き封水筒３は上方に目皿４をはめられる構造となっている。水を貯めておくための貯留筒６の上方に、オーバーフロー用筒付き封水筒３を設置する。
【００１２】
本発明の排水トラップ構造は、図６に示すような従来例の排水トラップ構造と、封水筒２及び目皿４を入れ替えることによって使用が可能となるように規格を共通化する。これにより、パーツの変更が少ないため、初期投資や製品単価が安価に抑えることができる。
【００１３】
浴室の洗い場で生じた排水は、まず目皿４を通りそこで毛髪などのごみ９が取り除かれた後、封水筒２を通り、さらに貯留筒６内の貯水部分を通って、メイン排水接続口８に排出される。貯留筒６内には、常時一定の高さまで水が貯留されており、メイン排水接続口８側から臭気や害虫が浴室内にまで侵入してくるのを防止している。
【００１４】
ところで、目皿４に毛髪などのごみ９が絡みついて目詰まりが起き、排水が遮断されてしまうことがある。これを防止するために、オーバーフロー用筒１を設け、目詰まりが起きた時は、そこから図１の白抜き矢印が示すように排水が行われるようになっている。
【００１５】
図２は、本発明の目皿４を取り外した時の排水トラップ構造断面図である。目皿４を取り外す時、中央のオーバーフロー用筒１に集中して絡みついた毛髪などのごみ９を上部へ押し上げながら目皿４を動かしていくので、目皿４上に毛髪などのごみ９が円形にまとまった状態となり、図３のようにして毛髪などのごみ９を除去し易くなり、掃除が簡単になる。
【００１６】
また、図１，２に示すように、目皿４の外周縁部から中央部にかけて急な勾配を設け、毛髪などのごみ９が中央に集まり易くしている。これにより、中央に集中した毛髪などのごみ９が丸くなって、よくまとまるようになり、図３のように簡単に除去できる。
【００１７】
図４は本発明の目皿４の斜視図である。目皿４に外周縁部から中央にかけて複数本の桟１０を設けて、隣接する桟の間の部分は網目構造１１にする。桟１０の表面は滑らかに形成し、毛髪などのごみ９が中央へ流れやすいようにする。桟１０の形状や幅は適宜決めるものとする。図４では、外周縁部は桟１０の幅が広くなっていて、水の流れがよくなるようになっている。桟１０があることで、目皿４に網目構造部分９だけしかない場合よりも、毛髪などのごみ９が中央に集まり易くなり、除去するのが簡単になる。また、スポンジなどによる掃除が行い易くなる。
【図面の簡単な説明】
【００１８】
【図１】本発明に係る排水トラップ構造断面図である。
【図２】本発明に係る目皿を取り外した時の排水トラップ構造断面図である。
【図３】本発明に係る目皿におけるごみの除去の様子を示す断面図である。
【図４】本発明に係る目皿の斜視図である。
【図５】図１，２のオーバーフロー用筒付き封水筒の斜視図である。
【図６】従来の排水トラップ構造断面図である。
【符号の説明】
【００１９】
１  オーバーフロー用筒
２  封水筒
３  オーバーフロー用筒付き封水筒
４  目皿
５  取外し用つまみ
６  貯留筒
７  排水管
８  メイン排水接続口
９  毛髪などのごみ
１０  桟
１１  網目構造部分
１２  開口
１３  オーバーフロー用開口
【図１】
2010007312.tif 000003
【図２】
2010007312.tif 000004
【図３】
2010007312.tif 000005
【図４】
2010007312.tif 000006
【図５】
2010007312.tif 000007
【図６】
2010007312.tif 000008